(57)【要約】【課題】分散制御方式よりも効率的なチャネル配置を可能とするアクセスポイントにおける自動化チャネル決定方法及び自動化チャネル割当システムを提供する。【解決手段】無線ＬＡＮシステム内に、複数のアクセスポイントの各々と交信するアプリケーション機能が配置され、複数のアクセスポイントの各々に対して、当該アクセスポイントの干渉量測定要求を送出する。各アクセスポイントは、当該アクセスポイントのビーコンを送出しながら、当該アクセスポイントから受信可能であったビーコンに係わる干渉量情報を前記アプリケーション機能に返送する。該アプリケーション機能は、返送された干渉量情報における前記信号強度の総和が大なる順に各アクセスポイントに高い優先順位を与える。各アクセスポイントは、該優先順位に従って予め定めた手順で使用チャネルを自動的に決定して当該アクセスポイントの動作を開始する。【選択図】      図５
2006054849.tif 000002
【特許請求の範囲】
【請求項１】
無線ＬＡＮシステム内の複数のアクセスポイントのおのおのに、予め定めた複数のチャネルから選択された一つを使用チャネルとして決定するために、
該無線ＬＡＮシステム内に、前記複数のアクセスポイントのおのおのと交信するアプリケーション機能が配置され、
該アプリケーション機能は、前記複数のアクセスポイントのおのおのに対して、当該アクセスポイントの干渉量測定要求を送出し、
該干渉量測定要求を受信した当該アクセスポイントは、当該アクセスポイントのビーコンを送出しながら、前記複数のアクセスポイントのビーコンの内の当該アクセスポイントから受信可能であったアクセスポイント毎の各信号強度を測定し、前記アクセスポイント毎のビーコンの総数と該受信したビーコンの信号強度の総和を少なくとも含む干渉量情報を前記アプリケーション機能に返送し、
該アプリケーション機能は、前記複数のアクセスポイントのおのおのから返送されたおのおのの該干渉量情報を参照して、該干渉量情報における前記信号強度の総和が返送されたときには当該信号強度の総和に係わる平均信号強度和を計算し、該平均信号強度和が大なる順に該複数のアクセスポイントに高い優先順位を与え、
該アプリケーション機能は、該複数のアクセスポイントの内の該優先順位の高い順に選択される各アクセスポイントに対して、使用可能な指定チャネルのおのおのについての干渉量測定要求を送信し、
該干渉量測定要求を受信した当該アクセスポイントは、当該指定チャネルのおのおのを用いて、前記複数のアクセスポイントのビーコンの内の当該アクセスポイントから受信可能であったアクセスポイント毎のビーコンの各信号強度を測定し、当該アクセスポイント毎のビーコンの総数と該受信したビーコンの各信号強度の総和を少なくとも含む干渉量情報を前記アプリケーション機能に返送し、
該アプリケーション機能は、該各信号強度の総和が返送されたときには該各信号強度の総和に係わる平均信号強度を計算し、前記指定チャネルの内、該平均信号強度が最も小さい値を示した指定チャネルを当該アクセスポイントの使用チャネルとして決定し、当該アクセスポイントに当該指定チャネルへのチャネル設定要求を送信し、
該チャネル設定要求を受信した当該アクセスポイントは、当該指定チャネルを使用チャネルとして当該アクセスポイントの動作を開始する、
ことを特徴とするアクセスポイントにおける自動化チャネル決定方法。
【請求項２】
前記平均信号強度和は、次式
【数１】
2006054849.tif 000010
に従って、得られることを特徴とする請求項１に記載のアクセスポイントにおける自動化チャネル決定方法。
【請求項３】
前記平均信号強度は、次式
【数２】
2006054849.tif 000011
に従って、得られることを特徴とする請求項１に記載のアクセスポイントにおける自動化チャネル決定方法。
【請求項４】
無線ＬＡＮシステム内の複数のアクセスポイントのおのおのに、予め定めた複数のチャネルから選択された一つを使用チャネルとして決定するために、
該無線ＬＡＮシステム内に、前記複数のアクセスポイントのおのおのと交信する管理装置機能が配置され、
該管理装置機能は、
前記複数のアクセスポイントのおのおのに対して、当該アクセスポイントで受信可能なアクセスポイント毎のビーコンの各信号強度を測定し、前記アクセスポイント毎のビーコンの総数と該受信したビーコンの各信号強度の総和を少なくとも含む干渉量情報を該管理装置機能に返送することを指示する第一の干渉量測定要求を送出する第一の干渉量測定要求手段と、
前記複数のアクセスポイントのおのおのから返送されるおのおのの該干渉量情報を参照して、該干渉量情報における前記各信号強度の総和が返送されたときには当該各信号強度の総和に係わる平均信号強度和を計算し、該平均信号強度和が大なる順に該複数のアクセスポイントに高い優先順位を与える優先順位付与手段と、
該複数のアクセスポイントの内の該優先順位の高い順に選択される各アクセスポイントに対して、使用可能な指定チャネルのおのおのについて当該アクセスポイントで受信可能であるビーコンの信号強度を測定し、該ビーコンの総数と該受信したビーコンの各信号強度の総和を少なくとも含む干渉量を該管理装置機能に返送することを指示する第二の干渉量測定要求を送信する第二の干渉量測定要求手段と、
該各信号強度の総和が返送されたときには、該各信号強度の総和に係わる平均信号強度を計算し、前記指定チャネルの内、該平均信号強度が最も小さい値を示した指定チャネルを当該アクセスポイントの使用チャネルとして決定し、当該アクセスポイントに当該指定チャネルへのチャネル設定要求を送信するチャネル設定要求手段と、
を備え、
前記アクセスポイントは、
前記第一の干渉量測定要求を受信したとき、当該アクセスポイントのビーコンを送出しながら、前記複数のアクセスポイントのビーコンの内の当該アクセスポイントから受信可能であったアクセスポイント毎のビーコンの各信号強度を測定し、アクセスポイント毎の該ビーコンの総数と該受信したビーコンの各信号強度の総和を少なくとも含む干渉量情報を前記管理装置機能に返送する干渉量情報送出手段と、
該第二の干渉量測定要求を受信したときに、当該指定チャネルのおのおのを用いて、前記複数のアクセスポイントのビーコンの内の当該アクセスポイントから受信可能であったアクセスポイント毎のビーコンの信号強度を測定し、アクセスポイント毎の該ビーコンの総数と該受信したビーコンの各信号強度の総和を少なくとも含む干渉量を前記管理装置機能に返送する干渉量送出手段と、
前記チャネル設定要求を受信した当該アクセスポイントは、当該指定チャネルを使用チャネルとして当該アクセスポイントの動作を開始する動作開始手段と、
を備えたことを特徴とするアクセスポイントにおける自動化チャネル割当システム。
【請求項５】
前記管理装置機能は、
前記複数のアクセスポイントを検索するアクセスポイント検索部と、
前記干渉量情報を測定することを要求する第１の干渉量測定要求と前記干渉量を測定することを要求する第二の干渉量測定要求とを前記複数のアクセスポイントに送出し、該複数のアクセスポイントから返送される前記干渉量情報と前記干渉量との少なくとも一方を取得する干渉量取得部と、
前記複数のアクセスポイントから返送される前記干渉量情報に対して、該干渉量情報から計算される前記平均信号強度和が大なる順に前記複数のアクセスポイントに与えられる優先順位を決定する優先順次決定部と、
前記指定チャネルの内、前記干渉量である前記平均信号強度が最も小さい値を示した指定チャネルを当該アクセスポイントの使用チャネルとして決定するチャネル決定部と、
前記使用チャネルを該当アクセスポイントに通知するチャネル通知部と、
前記アクセスポイント検索部と前記干渉量取得部と前記優先順次決定部と前記チャネル決定部と前記チャネル通知部に前記それぞれの該当動作をさせる制御部と
を備えていることを特徴とする請求項４に記載のアクセスポイントにおける自動化チャネル割当システム。
【請求項６】
前記アクセスポイントは、ビーコン制御部と、干渉量測定部と、チャネル設定部と、メモリと、制御部とを備え、
前記ビーコン制御部は、当該アクセスポイントのビーコンを発生し、
前記干渉量測定部は、前記制御部からの指示により、前記複数のアクセスポイントのビーコンの内の当該アクセスポイントで受信可能であったビーコンの各信号強度を測定し、該受信したビーコンの信号強度を前記制御部に通知し、
前記チャネル設定部は、前記制御部からの指示により、当該指定チャネルを使用チャネルとして設定し、
前記メモリは、前記制御部から送られたビーコンの送信元アクセスポイントを識別するためのＭＡＣアドレスと該ＭＡＣアドレス毎の受信ビーコン数とＭＡＣアドレス毎に受信ビーコンの信号強度を加算した信号強度の総和とを格納し、
前記制御部は、前記第１の干渉量測定要求を受信したとき、前記第２の干渉量測定要求を受信したとき、または、前記チャネル設定要求を受信したときに、前記ビーコン制御部と前記干渉量測定部と前記チャネル設定部に前記それぞれの該当の動作をさせて、前記干渉量情報または前記干渉量を送出する
ように構成されていることを特徴とする請求項４に記載のアクセスポイントにおける自動化チャネル割当システム。
【請求項７】
前記平均信号強度和は、次式
【数３】
2006054849.tif 000012
に従って、得られることを特徴とする請求項４に記載のアクセスポイントにおける自動化チャネル割当システム。
【請求項８】
前記平均信号強度は、次式
【数４】
2006054849.tif 000013
に従って、得られることを特徴とする請求項４に記載のアクセスポイントにおける自動化チャネル割当システム。
【発明の詳細な説明】
【技術分野】
【０００１】
本発明は、無線ＬＡＮシステム内に配置されるアクセスポイントの使用チャネルの決定及び割当に関するものである。
【背景技術】
【０００２】
現在市販されている無線ＬＡＮシステム内の一般的なアクセスポイント（例えば、基地局）での使用チャネルの決定は、ネットワーク上に配置されたパーソナルコンピュータを用いて、アクセスポイントでの使用チャネルを手動で設定している。複数のアクセスポイントにおいて、１つ１つ手動で設定することは能率的ではないので、この欠点を解消するために、一般的ではないが自動設定する方法も存在し、自動設定する方式では分散制御方式と集中制御方式が存在する。分散制御方式では、アクセスポイント自体が周辺の通信環境を調査し、そのアクセスポイントが使用するチャネルを決定する。また、集中制御方式では、ネットワーク上に集中管理装置を配置してアクセスポイントから通信環境の情報を収集し、各アクセスポイントのチャネルを割り当てている（例えば、特許文献１参照）。
【特許文献１】特開２００３−２８３５０６号公報
【発明の開示】
【発明が解決しようとする課題】
【０００３】
この従来例では、無線ＬＡＮネットワークを構成するサービスエリアの各セルに設置される無線ＬＡＮ基地局は、無線ＬＡＮで使用可能な周波数チャネルをスキャンしていき、近接する基地局のビーコン信号をカウントして、近接基地局の数を通知していき、ネットワーク内の近接基地局数をネットワークテーブルに記録する。この近接基地局数を元に、近接基地局数の少ない基地局を無線チャネル決定のスタート点とし、その基地局が無線チャネルを決定後、次に無線チャネルを決定すべき基地局を決定する。これを繰り返し行うことによって、ネットワーク全体の無線チャネルを決定している。
このように、この文献で述べられている方法は、隣接基地局数の少ない基地局からチャネルの決定を行っている。しかし、隣接基地局数の少ない好条件の基地局から先にチャネルの決定を行うと、近接基地局数が多い悪条件の基地局では、チャネル決定の順位が後退するので、隣接基地局数の少ない好条件のチャネルに決定されることは殆ど不可能である。また、基地局全体についてみても、安定した通信を確保することができる基地局数をできる限り多くするとの好結果が得られるとは考え難い。
【０００４】
このような従来技術の欠点を解消する方策について検討する。
いま、図１に示す如くＡ，Ｂ，Ｃ，Ｄ，Ｅの５つのアクセスポイントが存在し、１，２，３，４の４つのチャネルが使用可能であるとする。ここで、Ｅ，Ａ，Ｂ，Ｃ，Ｄの順に各アクセスポイントがそのアクセスポイントの使用チャネルを選択する場合を考える。最初に、Ｅは１を選択する。次に、Ａは１が使用されているので２を使用する。同様に、Ｂは３、Ｃは４を選択する。Ｄは４つのチャネルが既に使用されているが、通信環境を調査し、受信信号強度から２が最も遠くで使用されていることを知り、チャネル２の使用を決定する。
【０００５】
次に、図２に示す如くＡ，Ｂ，Ｃ，Ｄ，Ｅの順にアクセスポイントの使用チャネルを選択する場合を考える。最初に、Ａは１を選択する。次に、Ｂは１が使用されているので２を使用する。同様にＣは３、Ｄは４を選択する。ここで、Ｅはチャネル１，２，３，４の内で最も通信環境が良いチャネル、例えば１を選択する。しかし、図１と図２では、図１の例が同じチャネルを使用するアクセスポイント間の距離が離れており、同じチャネルを使用しても互いの通信に対する影響が比較的少ないものと判断される。
【０００６】
このことから、複数のアクセスポイントで使用するチャネルを決定する場合、チャネルを決定する順番も重要である。
しかし、分散制御方式では各アクセスポイントが独自にチャネル決定を行うため、チャネル決定の順番は不定である。一方、集中制御方式では管理装置を使用するため、管理装置が順番を決定することが可能であるが、高機能な製品が多いため高価である。
【０００７】
本発明は、上記のような従来技術の問題点を解決するため、分散制御方式よりも効率的なチャネル配置を可能とするアクセスポイントにおける自動化チャネル決定方法及び自動化チャネル割当システムを提供することを目的とする。
【０００８】
また、本発明は、集中制御方式のような集中管理装置を必要とせず、既存のコンピュータを使用し、安価にチャネル決定を行うことができるアクセスポイントにおける自動化チャネル決定方法及び自動化チャネル割当システムを提供することを目的とする。
【課題を解決するための手段】
【０００９】
この目的を達成するために、本発明によるアクセスポイントにおける自動化チャネル決定方法は、無線ＬＡＮシステム内の複数のアクセスポイントのおのおのに、予め定めた複数のチャネルから選択された一つを使用チャネルとして決定するために、
該無線ＬＡＮシステム内に、前記複数のアクセスポイントのおのおのと交信するアプリケーション機能が配置され、
該アプリケーション機能は、前記複数のアクセスポイントのおのおのに対して、当該アクセスポイントの干渉量測定要求を送出し、
該干渉量測定要求を受信した当該アクセスポイントは、当該アクセスポイントのビーコンを送出しながら、前記複数のアクセスポイントのビーコンの内の当該アクセスポイントから受信可能であったアクセスポイント毎の各信号強度を測定し、前記アクセスポイント毎のビーコンの総数と該受信したビーコンの信号強度の総和を少なくとも含む干渉量情報を前記アプリケーション機能に返送し、
該アプリケーション機能は、前記複数のアクセスポイントのおのおのから返送されたおのおのの該干渉量情報を参照して、該干渉量情報における前記信号強度の総和が返送されたときには当該信号強度の総和に係わる平均信号強度和を計算し、該平均信号強度和が大なる順に該複数のアクセスポイントに高い優先順位を与え、
該アプリケーション機能は、該複数のアクセスポイントの内の該優先順位の高い順に選択される各アクセスポイントに対して、使用可能な指定チャネルのおのおのについての干渉量測定要求を送信し、
該干渉量測定要求を受信した当該アクセスポイントは、当該指定チャネルのおのおのを用いて、前記複数のアクセスポイントのビーコンの内の当該アクセスポイントから受信可能であったアクセスポイント毎のビーコンの各信号強度を測定し、当該アクセスポイント毎のビーコンの総数と該受信したビーコンの各信号強度の総和を少なくとも含む干渉量情報を前記アプリケーション機能に返送し、
該アプリケーション機能は、該各信号強度の総和が返送されたときには該各信号強度の総和に係わる平均信号強度を計算し、前記指定チャネルの内、該平均信号強度が最も小さい値を示した指定チャネルを当該アクセスポイントの使用チャネルとして決定し、当該アクセスポイントに当該指定チャネルへのチャネル設定要求を送信し、
該チャネル設定要求を受信した当該アクセスポイントは、当該指定チャネルを使用チャネルとして当該アクセスポイントの動作を開始する、
ように構成されている。
【００１０】
また、本発明によるアクセスポイントにおける自動化チャネル割当システムは、無線ＬＡＮシステム内の複数のアクセスポイントのおのおのに、予め定めた複数のチャネルから選択された一つを使用チャネルとして決定するために、
該無線ＬＡＮシステム内に、前記複数のアクセスポイントのおのおのと交信する管理装置機能が配置され、
該管理装置機能は、
前記複数のアクセスポイントのおのおのに対して、当該アクセスポイントで受信可能なアクセスポイント毎のビーコンの各信号強度を測定し、前記アクセスポイント毎のビーコンの総数と該受信したビーコンの各信号強度の総和を少なくとも含む干渉量情報を該管理装置機能に返送することを指示する第一の干渉量測定要求を送出する第一の干渉量測定要求手段と、
前記複数のアクセスポイントのおのおのから返送されるおのおのの該干渉量情報を参照して、該干渉量情報における前記各信号強度の総和が返送されたときには当該各信号強度の総和に係わる平均信号強度和を計算し、該平均信号強度和が大なる順に該複数のアクセスポイントに高い優先順位を与える優先順位付与手段と、
該複数のアクセスポイントの内の該優先順位の高い順に選択される各アクセスポイントに対して、使用可能な指定チャネルのおのおのについて当該アクセスポイントで受信可能であるビーコンの信号強度を測定し、該ビーコンの総数と該受信したビーコンの各信号強度の総和を少なくとも含む干渉量を該管理装置機能に返送することを指示する第二の干渉量測定要求を送信する第二の干渉量測定要求手段と、
該各信号強度の総和が返送されたときには、該各信号強度の総和に係わる平均信号強度を計算し、前記指定チャネルの内、該平均信号強度が最も小さい値を示した指定チャネルを当該アクセスポイントの使用チャネルとして決定し、当該アクセスポイントに当該指定チャネルへのチャネル設定要求を送信するチャネル設定要求手段と、
を備え、
前記アクセスポイントは、
前記第一の干渉量測定要求を受信したとき、当該アクセスポイントのビーコンを送出しながら、前記複数のアクセスポイントのビーコンの内の当該アクセスポイントから受信可能であったアクセスポイント毎のビーコンの各信号強度を測定し、アクセスポイント毎の該ビーコンの総数と該受信したビーコンの各信号強度の総和を少なくとも含む干渉量情報を前記管理装置機能に返送する干渉量情報送出手段と、
該第二の干渉量測定要求を受信したときに、当該指定チャネルのおのおのを用いて、前記複数のアクセスポイントのビーコンの内の当該アクセスポイントから受信可能であったアクセスポイント毎のビーコンの信号強度を測定し、アクセスポイント毎の該ビーコンの総数と該受信したビーコンの各信号強度の総和を少なくとも含む干渉量を前記管理装置機能に返送する干渉量送出手段と、
前記チャネル設定要求を受信した当該アクセスポイントは、当該指定チャネルを使用チャネルとして当該アクセスポイントの動作を開始する動作開始手段と、
を備えた構成を有している。
【００１１】
前記管理装置機能は、
前記複数のアクセスポイントを検索するアクセスポイント検索部と、
前記干渉量情報を測定することを要求する第１の干渉量測定要求と前記干渉量を測定することを要求する第二の干渉量測定要求とを前記複数のアクセスポイントに送出し、該複数のアクセスポイントから返送される前記干渉量情報と前記干渉量との少なくとも一方を取得する干渉量取得部と、
前記複数のアクセスポイントから返送される前記干渉量情報に対して、該干渉量情報から計算される前記平均信号強度和が大なる順に前記複数のアクセスポイントに与えられる優先順位を決定する優先順次決定部と、
前記指定チャネルの内、前記干渉量である前記平均信号強度が最も小さい値を示した指定チャネルを当該アクセスポイントの使用チャネルとして決定するチャネル決定部と、
前記使用チャネルを該当アクセスポイントに通知するチャネル通知部と、
前記アクセスポイント検索部と前記干渉量取得部と前記優先順次決定部と前記チャネル決定部と前記チャネル通知部に前記それぞれの該当動作をさせる制御部と
を備えた構成とすることができる。
また、前記アクセスポイントは、ビーコン制御部と、干渉量測定部と、チャネル設定部と、メモリと、制御部とを備え、
前記ビーコン制御部は、当該アクセスポイントのビーコンを発生し、
前記干渉量測定部は、前記制御部からの指示により、前記複数のアクセスポイントのビーコンの内の当該アクセスポイントで受信可能であったビーコンの各信号強度を測定し、該受信したビーコンの信号強度を前記制御部に通知し、
前記チャネル設定部は、前記制御部からの指示により、当該指定チャネルを使用チャネルとして設定し、
前記メモリは、前記制御部から送られたビーコンの送信元アクセスポイントを識別するためのＭＡＣアドレスと該ＭＡＣアドレス毎の受信ビーコン数とＭＡＣアドレス毎に受信ビーコンの信号強度を加算した信号強度の総和とを格納し、
前記制御部は、前記第１の干渉量測定要求を受信したとき、前記第２の干渉量測定要求を受信したとき、または、前記チャネル設定要求を受信したときに、前記ビーコン制御部と前記干渉量測定部と前記チャネル設定部に前記それぞれの該当の動作をさせて、前記干渉量情報または前記干渉量を送出する
ように構成することができる。
【００１２】
本発明では、順位決めの際には、後に式（１）で示される平均信号強度和を使用する。また、チャネル決定の際には、後に式（２）で示される平均信号強度を使用する。
本発明方法は、複数のアクセスポイントと既存のパーソナルコンピュータにインストールされたアプリケーションとから構成される。アプリケーションは最初にネットワーク上に設置されたアクセスポイントを検索する。次に、アプリケーションはアクセスポイントの優先順位付けを行う。周辺アクセスポイントの数と干渉量が大きいアクセスポイントほどアプリケーションにより高い優先順位をつけられ、優先順位が高いアクセスポイントから順番に使用するチャネルの決定が行われる。以下に本発明方法について述べる。
【発明の効果】
【００１３】
本発明を用いれば、分散制御方式よりも好適な順番でチャネルの決定が可能となる。また、専用の集中管理端末が不要であるので、安価に実施可能である。また、ビーコン数と信号強度を用いることにより、一層詳しく通信環境を調査することが可能となり、さらに効率的なチャネル選択が可能となる。
【発明を実施するための最良の形態】
【００１４】
（アクセスポイント検索）
アプリケーションはアクセスポイントと通信を行うため、アクセスポイントのＩＰアドレスを取得する必要がある。そこで、アプリケーションＰＣは図３に示す如く最初にＩＰブロードキャストを利用して（１）「ＩＰアドレス通知要求」を有線ネットワークに送信する。この要求を受信したアクセスポイントＡＰは（２）「ＩＰアドレス通知応答」によりそのアクセスポイントＡＰのＩＰアドレスをアプリケーションＰＣに通知する。
【００１５】
（優先順位付け）
ネットワーク内のアクセスポイントＡＰのＩＰアドレス〔（０），…（ｍ），（Ｍ−１）〕を取得後、アプリケーションＰＣはそのアクセスポイントＡＰのチャネル決定順を決めるために、アクセスポイントＡＰの優先順位付けを行う。
Ｍ個のアクセスポイントＡＰが検知された場合、アプリケーションＰＣは図４に示す如く、検知されたアクセスポイントＡＰ（０），ＡＰ（１），…，ＡＰ（Ｍ−１）に対して（３）「干渉量測定要求」を送信する。「干渉量測定要求」を受信したアクセスポイントＡＰはビーコンを送信しながら、同時に周辺アクセスポイントＡＰから受信したビーコン数と信号強度を測定する。
一定時間が経過した後、アプリケーションＰＣは、アクセスポイントＡＰに対して、  （５）「干渉量通知要求」を送信する。「干渉量測定要求」を受信したアクセスポイントＡＰは、（４）「干渉量測定」とビーコン送信を停止し、干渉量情報を含んだ（６）「干渉量通知応答」をアプリケーションＰＣに送信する。「干渉量通知応答」を受信したアプリケーションＰＣはＭ個の干渉量情報を得る。ここで、「干渉量情報」とは、注目するアクセスポイントＡＰにおいて観測された周辺アクセスポイントＡＰ毎のビーコン数と、周辺アクセスポイントＡＰ毎に受信ビーコンの信号強度を加算した信号強度の総和である。
【００１６】
本発明方法では、Ｍ個のアクセスポイントＡＰから取得したＭ個の干渉量情報を用いてＭ個の平均信号強度和を計算し、Ｍ個の平均信号強度和を比較してチャネル決定順番（優先順序）を決定する。
注目するアクセスポイントＡＰ（ｍ），（ｍ＝０，１，２，…，Ｍ−１）の平均信号強度和Ｐａ（ｍ）は式（１）で計算する。
【００１７】
【数１】
2006054849.tif 000003
【００１８】
ここで、Ｎａ（ｍ）はアクセスポイントＡＰ（ｍ）において観測された周辺アクセスポイントＡＰの数を表す。ｐｓａ（ｍ，ｎ）は、アクセスポイントＡＰ（ｍ）においてｎ番目に検出された周辺アクセスポイントＡＰからのビーコン信号強度の総和であり、ｎｕｍａ（ｍ，ｎ）はｎ番目に検出された周辺アクセスポイントＡＰからのビーコン数である。
ここで、式（１）における信号の平均化操作機能は、各アクセスポイントＡＰに持たせてもよく、また、アプリケーションＰＣに持たせてもよい。
【００１９】
式（１）より、ビーコン１つ当たりの信号強度が大きい場合、または周辺アクセスポイントＡＰの数が多いほど平均信号強度和Ｐａが大きな値となる。
【００２０】
本発明方法ではＭ個のアクセスポイントＡＰの内、平均信号強度和Ｐａが大きなアクセスポイントＡＰの優先順位を高くし、平均信号強度和Ｐａが小さいアクセスポイントＡＰの優先順位を低くする。但し、アクセスポイントＡＰの平均信号強度和が相等しい場合には、周辺アクセスポイントＡＰの数が多いアクセスポイントＡＰの優先順位を高くする。また、周辺アクセスポイントＡＰの数も相等しい場合には、アプリケーションＰＣにおける登録順の早いアクセスポイントＡＰの優先順位を高くする。
【００２１】
（アクセスポイントの使用チャネル決定）
Ｍ個のアクセスポイントＡＰの優先順位が決まると、優先順位の高いアクセスポイントＡＰから順番に、使用チャネルの決定を行う。アクセスポイントＡＰの使用可能なチャネルがＨ個ある場合、各チャネルのチャネル番号をＣ（０），Ｃ（１），…，Ｃ（Ｈ−１）で表す。
アプリケーションＰＣは図５に示す如く、最初に優先順位の一番高いアクセスポイントＡＰに対して、チャネルＣ（０）における干渉量を取得するため（８）「干渉量測定要求」を送信する。「干渉量測定要求」を受信したアクセスポイントＡＰは指定されたチャネルで周辺アクセスポイントＡＰからのビーコン数と信号強度の測定を開始する。
【００２２】
一定時間が経過した後、アプリケーションＰＣはアクセスポイントＡＰに対して、（１０）「干渉量通知要求」を送信する。「干渉量測定要求」を受信したアクセスポイントＡＰは、干渉量の測定を停止し、「干渉量情報」（周辺アクセスポイントＡＰ毎のビーコン数と信号強度の総和）を含んだ（１１）「干渉量通知応答」をアプリケーションＰＣに送信する。アプリケーションＰＣは使用を希望する全てのチャネルＣ（０），Ｃ（１），…，Ｃ（Ｈ−１）において、（９）「干渉量測定」を行う。アプリケーションＰＣは全てのチャネルにおける干渉量の測定を終了すると、（１２）「チャネル決定」を行う。
【００２３】
本発明方法では、Ｈ個のチャネルから取得したＨ個の「干渉量情報」を元にアプリケーションＰＣでＨ個の平均信号強度を計算する。注目するチャネルＣ（ｈ），（ｈ＝０，１，…Ｈ−１）における平均信号強度Ｐｃ（ｈ）は、式（２）で計算される。
【００２４】
【数２】
2006054849.tif 000004
【００２５】
ここで、Ｎｃ（ｈ）はチャネルＣ（ｈ）において観測された周辺アクセスポイントＡＰの数を表す。ｐｓｃ（ｈ，ｎ）は、Ｃ（ｈ）においてｎ番目に検出された周辺アクセスポイントＡＰからのビーコンの信号強度の総和であり、ｎｕｍｃ（ｈ，ｎ）はｎ番目に検出された周辺アクセスポイントＡＰからのビーコン数である。式（２）より、ビーコン１つ当たりの信号強度が大きいほど平均信号強度Ｐｃが大きな値となる。
【００２６】
本発明方法では、Ｈ個の平均信号強度の内、平均信号強度が一番小さなチャネルを使用チャネルとする。但し、複数のチャネルの平均信号強度が相等しい場合には、周辺アクセスポイントＡＰの数が少ないチャネルを選択する。また、周辺アクセスポイントＡＰの数も相等しい場合にはチャネル番号の小さいチャネルを選択する。
【００２７】
使用チャネルが決まると（１２）、図５に示すように、アプリケーションＰＣは注目するアクセスポイントＡＰに（１３）「チャネル設定要求」を送信する。（１３）「チャネル設定要求」を受信したアクセスポイントＡＰは指定されたチャネルを使用してアクセスポイントＡＰとしての動作を開始する。
【００２８】
優先順位の一番高いアクセスポイントＡＰのチャネルが決まると、次に優先順位の高いアクセスポイントＡＰについても同様の手法でチャネルを決定し、全てのアクセスポイントＡＰの使用チャネルを決定する（１５〜２１）。
【００２９】
アクセスポイントＡＰの使用チャネルを決定する場面としては、初回アクセスポイントＡＰの設置時、およびアクセスポイントＡＰの追加時が想定される。以下に、初回アクセスポイントＡＰの設置時、およびアクセスポイントＡＰの追加時におけるチャネル決定動作について説明する。
【００３０】
図７にアクセスポイントＡＰとアプリケーションＰＣの構成図を示す。表１は、ここで用いられるメッセージ構成例である。
【００３１】
【表１】
2006054849.tif 000005
【００３２】
アプリケーションＰＣとアクセスポイントＡＰの通信には、ＳＮＭＰ（Simple Network Management Protocol）を用いる。アプリケーションＰＣをＳＮＭＰマネージャとし、アクセスポイントＡＰをＳＮＭＰエージェントとする。アプリケーションＰＣはアクセスポイントＡＰに対して、ＳＮＭＰを用いて <１> 要求メッセージ（「ＩＰアドレス通知要求」，「干渉量測定要求」，「干渉量通知要求」，「チャネル設定要求」）を送信する。アクセスポイントＡＰ内のＳＮＭＰエージェントはアプリケーションＰＣに対して、 <２> 応答（「ＩＰアドレス通知応答」，「干渉量通知応答」）を送信する。また、アクセスポイントＡＰ内では、ＳＮＭＰエージェントがＭＡＣ（ＷＬＡＮ）に対して <３> 指示（チャネルの設定，ビーコンの送信／停止）を出す。また、ＭＡＣ（ＷＬＡＮ）から <４> 受信ビーコン情報を取得し、周辺アクセスポイントＡＰから受信したビーコンの数とビーコンの信号強度の総和をメモリに格納する。
【００３３】
表２にメモリの構成例を示す。メモリには取得したビーコンの送信元アクセスポイントＡＰを識別するための「ＭＡＣアドレス」，「ＭＡＣアドレス毎の受信ビーコン数」，「ＭＡＣアドレス毎に受信ビーコンの信号強度を加算した信号強度の総和」が格納される。
【００３４】
【表２】
2006054849.tif 000006
【００３５】
（初回アクセスポイントＡＰ設置時のチャネル選択）
（アクセスポイント検索）
初回アクセスポイントＡＰ導入時におけるチャネル決定動作について述べる。アプリケーションＰＣは、アクセスポイントＡＰと通信を行うため、アクセスポイントＡＰのＩＰアドレスを取得する必要がある。そこで、図８に示す如く、アプリケーションＰＣは「ＩＰアドレス通知要求ＱA 」をネットワーク上に送信する。「ＩＰアドレス通知要求ＱA 」は、送信先にＩＰブロードキャストを設定した「ＳＮＭＰリクエスト」である。この「ＳＮＭＰリクエスト」を受信したＭ個のアクセスポイントＡＰ（０），…，ＡＰ（ｍ），…，ＡＰ（Ｍ−１）が送信元に各自のＩＰアドレスを格納して、アプリケーションＰＣ宛てにＩＰアドレス通知応答Ａ（０），…Ａ（ｍ），…Ａ（Ｍ−１）を送信する。アプリケーションＰＣは、このＩＰアドレス通知応答の送信元ＩＰアドレスを調べることで、アクセスポイントＡＰのＩＰアドレスを取得する。
【００３６】
（優先順位付け）
ネットワーク内のアクセスポイントＡＰのＩＰアドレスを取得後、アプリケーションＰＣはアクセスポイントＡＰのチャネル決定順を決めるために、アクセスポイントＡＰの優先順位付けを行う。
アクセスポイントＡＰの使用可能なチャネルがＨ個ある場合、各チャネルのチャネル番号をＣ（０），Ｃ（１），…，Ｃ（Ｈ−１）で表す。例えば、Ｈを４とし１，６，１１，１４チャネルを使用する場合を表３に示す。
【００３７】
【表３】
2006054849.tif 000007
【００３８】
アプリケーションＰＣは、図９に示す如く検知されたＭ個のアクセスポイントＡＰ（０），…，ＡＰ（ｍ），…，ＡＰ（Ｍ−１）に対して、チャネルＣ（ｈ）で干渉量測定を指示するため、「干渉量測定要求」Ｍ（０，ｈ），Ｍ（１，ｈ），…，Ｍ（Ｍ−１，ｈ）を送信する。ｈは０，１，…，Ｈ−１の何れかを選択する。
【００３９】
「干渉量測定要求」を受信したＭ個のアクセスポイントＡＰ（０），…，ＡＰ（ｍ），ＡＰ（Ｍ−１）のＳＮＭＰエージェントは、内部メモリに格納されていたアクセスポイントＡＰ毎のビーコン数と信号強度の総和を０に設定する。アクセスポイントＡＰ（ｍ）のメモリ内の情報例を表４に示す。
【００４０】
【表４】
2006054849.tif 000008
【００４１】
ここで、Ｎａ（ｍ）はアクセスポイントＡＰ（ｍ）において観測された周辺アクセスポイントＡＰの数である。ｍａｃａ（ｍ，ｎ）はアクセスポイントＡＰ（ｍ）においてｎ番目に検出されたアクセスポイントＡＰのＭＡＣアドレスである。ｎｕｍａ（ｍ，ｎ）はアクセスポイントＡＰ（ｍ）においてｎ番目に検出されたアクセスポイントＡＰからのビーコン数である。ｐｓａ（ｍ，ｎ）はアクセスポイントＡＰ（ｍ）においてｎ番目に検出されたアクセスポイントＡＰからのビーコン信号強度の総和である。
【００４２】
次に、アクセスポイントＡＰ（０），…，ＡＰ（ｍ），…，ＡＰ（Ｍ−１）のＳＮＭＰエージェントはチャネルをＣ（ｈ）に設定するため、ＭＡＣ（ＷＬＡＮ）に「チャネル設定」の指示を出す。その次に、ＡＰ（１），…，ＡＰ（Ｍ−１）はビーコンの送信を開始するため、ＭＡＣ（ＷＬＡＮ）に「ビーコン送信」の指示を出す。最後にＡＰ（１），…，ＡＰ（Ｍ−１）はＭＡＣ（ＷＬＡＮ）に「測定開始」の指示を出す。
【００４３】
干渉量測定中にアクセスポイントＡＰ（ｍ）が周辺アクセスポイントＡＰ（ｎ）からのビーコンを受信すると、アクセスポイントＡＰ（ｍ）はメモリ内のＭＡＣアドレスｍａｃａ（ｍ，ｎ）に対応したビーコン数ｎｕｍａ（ｍ，ｎ）を「１」増加し、同時に対応する信号強度の総和ｐａｓ（ｍ，ｎ）に受信したビーコン信号強度を加算する。
【００４４】
一定時間が経過した後、アプリケーションＰＣは、Ｍ個のアクセスポイントＡＰ（０），…，ＡＰ（ｍ），…ＡＰ（Ｍ−１）に対して、「干渉量通知要求」Ｒ（０），…Ｒ（ｍ），…，Ｒ（Ｍ−１）を送信する。「干渉量通知要求」を受信したアクセスポイントＡＰはＭＡＣ（ＷＬＡＮ）に「干渉量測定停止」と「ビーコンの送信停止」を指示する。次に、表４に示された干渉量情報を含んだ「干渉量通知応答」Ｐ（０），…，Ｐ（ｍ），…，Ｐ（Ｍ−１）をアプリケーションＰＣに送信する。
【００４５】
「干渉量通知応答」Ｐ（０），…，Ｐ（ｍ），…，Ｐ（Ｍ−１）を受信したアプリケーションＰＣは、以下に示す如く、Ｍ個の「平均信号強度和」Ｐａ（０），Ｐａ（１），…Ｐａ（Ｍ−１）を計算し、Ｐａ（０），Ｐａ（１），…Ｐａ（Ｍ−１）を用いて優先順位付けを行う。アクセスポイントＡＰ（ｍ）のビーコンの「平均信号強度」Ｐａ（ｍ）は、式（１）で計算される。ここで、ｎｕｍａ（ｍ，ｎ）はアクセスポイントＡＰ（ｍ）においてｎ番目に検出されたアクセスポイントＡＰからのビーコン数、ｐｓａ（ｍ，ｎ）はビーコンの信号強度の総和を表す。Ｍ個のアクセスポイントＡＰの「平均信号強度和」Ｐａ（０），Ｐａ（１），…，Ｐａ（Ｍ−１）の計算フローを図１０に示す。すなわち、動作開始後（Ｓ１）、まずｍ＝０とし（Ｓ２）、式（１）によりＰａ（ｍ）＝Ｐａ（０）を計算した後（Ｓ３）、ｍ＝ｍ＋１とし（Ｓ４）、ｍ＜Ｍであるかのテストをし（Ｓ５）、そのテストがｙｅｓであったときに、Ｐａ（ｍ）＝Ｐａ（１）を計算する。Ｓ５におけるテスト（ｍ＜Ｍ）がｎｏとなったときに、動作終了となる。
【００４６】
Ｍ個の「平均信号強度和」Ｐａ（０），Ｐａ（１），…，Ｐａ（Ｍ−１）を用いてＭ個のアクセスポイントＡＰの優先順位付けを行う。アプリケーションＰＣは平均信号強度和の大きなアクセスポイントＡＰの優先度を高くする。但し、複数のアクセスポイントＡＰの「平均信号強度和」が相等しい場合には、周辺アクセスポイントＡＰの数が多いアクセスポイントＡＰの優先度を高くする。周辺アクセスポイントＡＰの数も相等しい場合には、アプリケーションＰＣにおける登録順の早いアクセスポイントＡＰの優先順位を高くする。
優先順位を０，１，…，ｋ，…，Ｍ−１で表し、０を最優先とする。ｋ番目の優先順位を持つアクセスポイントＡＰをＰri（ｋ）で表し、Ｐri（ｋ）を以下の通り決定する。
【００４７】
計算フローを図１１に示す。優先順位ｋ番目の候補をアクセスポイントＡＰ（ｍ')とし（Ｓ１１，Ｓ１２，Ｓ１３）、アクセスポイントＡＰ（ｍ')の平均信号強度和Ｐａ（ｍ')とアクセスポイントＡＰ（ｍ）の平均信号強度和Ｐａ（ｍ）を比較し、Ｐａ（ｍ')＋Ｄａ＜Ｐａ（ｍ）かつＸ（ｍ）＝０であれば（Ｓ１４＝ｙｅｓ）、新たにｍ’＝ｍとする（Ｓ１５）。ここで、Ｘ（ｍ）＝０はアクセスポイントＡＰ（ｍ）の優先順位がまだ決まっていないことを表す。その他の場合、アクセスポイントＡＰ（ｍ')の「平均信号強度和」Ｐａ（ｍ')とアクセスポイントＡＰ（ｍ）の「平均信号強度和」Ｐａ（ｍ）を比較し（Ｓ１６）、Ｐａ（ｍ')−Ｄａ＜Ｐａ（ｍ）かつＸ（ｍ）＝０ならば（Ｓ１６＝ｙｅｓ）、さらに周辺アクセスポイント数Ｎａ（ｍ')とＮａ（ｍ）を比較し（Ｓ１７）、Ｎａ（ｍ）が大きければ新たにｍ’＝ｍとする（Ｓ１５）。ここでＤａは二つの信号強度が等しいと見なす範囲を設定する数値である。ｍを０，１，…，Ｍ−１と増加させながら（Ｓ１８，Ｓ１９）、上記の操作を行い、最終的に優先順位ｋ番目のアクセスポイントＡＰ（Ｐri（ｋ）＝ｍ’）として決定する（Ｓ２０）。また、既にアクセスポイントＡＰ（ｍ')の優先順位が確定した事を示すため、Ｘ（ｍ')＝１とする（Ｓ２０）。この操作をｋ＝０，１，…，Ｍ−１と変化させながら行い（Ｓ２１，Ｓ２２）、Ｍ個のアクセスポイントＡＰの優先順位を決定する（Ｓ２３）。
【００４８】
（アクセスポイントＡＰの使用チャネル決定）
アクセスポイントＡＰの優先順位が決まると、優先順位の高いアクセスポイントＡＰから順番に、使用チャネルの決定を行う。アクセスポイントＡＰが使用できるチャネルがＨ個ある場合、Ｈ個のチャネルにおいて干渉量の測定を行う。表５は、Ｈ個のチャネルからの干渉量情報の例である。
【００４９】
【表５】
2006054849.tif 000009
【００５０】
アプリケーションＰＣは、最初に優先順位の一番高いアクセスポイントＡＰ（Ｐri（０))に対し、図１２に示すように、チャネルＣ（０）における干渉量を取得するため「干渉量測定要求」Ｍ（Ｐri（０），０）を送信する。「干渉量測定要求」を受信したアクセスポイントＡＰ（Ｐri（０))はアクセスポイントＡＰ内のメモリに格納されていたアクセスポイントＡＰ毎のビーコン数と信号強度の総和を０に設定する。次に、アクセスポイントＡＰ（Ｐri（０))はチャネルをＣ（０）に設定するため、ＭＡＣ（ＷＬＡＮ）に指示を出す。最後にアクセスポイントＡＰ（Ｐri（０))はＭＡＣ（ＷＬＡＮ）に測定開始の指示を出す。ビーコンの送信は行わない。
【００５１】
干渉量測定中にアクセスポイントＡＰ（Ｐri（０))が周辺アクセスポイントＡＰ（ｎ）からのビーコンを受信すると、アクセスポイントＡＰ（Ｐri（０))はメモリ内のＭＡＣアドレスｍａｃｃ（０，ｎ）に対応したビーコン数ｎｕｍｃ（０，ｎ）を１増加し（表５の中列参照）、同時に対応する「信号強度の総和」ｐｓｃ（０，ｎ）に受信したビーコンの信号強度を加算する（表５右列参照）。ここで、Ｎｃ（ｈ）はチャネルＣ（ｈ）において観測された周辺アクセスポイントＡＰの数である。ｍａｃｃ（ｈ，ｎ）はＣ（ｈ）においてｎ番目に検出されたアクセスポイントＡＰのＭＡＣアドレスである。ｎｕｍｃ（ｈ，ｎ）はＣ（ｈ）において干渉量測定中に測定されて、ｎ番目に検出されたアクセスポイントＡＰからのビーコン数である。ｐｓｃ（ｍ，ｎ）はＣ（ｈ）において干渉量測定中に測定されてｎ番目に検出されたアクセスポイントＡＰからのビーコンの信号強度の総和である。
【００５２】
一定時間が経過した後、アプリケーションＰＣは、アクセスポイントＡＰ（Ｐri（０))に対して、「干渉量通知要求」Ｒ（Ｐri（０))を送信する。干渉量測定要求を受信したアクセスポイントＡＰ（Ｐri（０))はＭＡＣ（ＷＬＡＮ）に干渉量測定停止を指示し、表５に示された干渉量情報を含んだ「干渉量通知応答」Ｐ（Ｐri（０))をアプリケーションＰＣに送信する。チャネルＣ（１），Ｃ（２），…，Ｃ（Ｈ−１）においても、同様に干渉量の測定を行う。
【００５３】
全てのチャネルにおける干渉量測定を終了すると、アプリケーションＰＣはチャネルの決定を行う。アプリケーションＰＣは式（２）のとおり、チャネルＣ（ｈ）において検出された周辺アクセスポイントＡＰからのビーコンの平均信号強度Ｐｃ（ｈ）を図１３のように計算する。本方法では、Ｈ個のチャネルＣ（０），Ｃ（１），…，Ｃ（ｈ），…，Ｃ（Ｈ−１）における平均信号強度Ｐｃ（０），Ｐｃ（１），…，Ｐｃ（Ｈ−１）を計算し、平均信号強度が一番小さなチャネルを使用チャネルとする。但し、複数のチャネルの平均信号強度が等しい場合には、周辺アクセスポイントＡＰの数が少ないチャネルを選択する。また、周辺アクセスポイントＡＰの数も等しい場合にはチャネル番号の小さいチャネルを選択する。
【００５４】
計算フローを図１４に示す。ｈ＝０から計算を開始し（Ｓ４０，Ｓ４１）、候補チャネルをｈ’とし、チャネルｈ’の「平均信号強度」Ｐｃ（ｈ')とチャネルｈの「平均信号強度」Ｐｃ（ｈ）を比較し、Ｐｃ（ｈ')−Ｄｃ＞Ｐｃ（ｈ）ならば（Ｓ４２＝ｙｅｓ）、新たにｈ’＝ｈとする（Ｓ４５）。その他の場合（Ｓ４２＝ｎｏ）、チャネルｈ’の「平均信号強度」Ｐｃ（ｈ')とチャネルｈの「平均信号強度」Ｐｃ（ｈ）を比較し、Ｐｃ（ｈ')＋Ｄｃ＞Ｐｃ（ｈ）ならば（Ｓ４３＝ｙｅｓ）、さらに周辺アクセスポイント数Ｎｃ（ｈ')とＮｃ（ｈ）を比較し（Ｓ４４）、Ｎｃ（ｈ）が小さければ（Ｓ４４＝ｙｅｓ）新たにｈ’＝ｈ（Ｓ４５）とする。ここで、Ｄｃは二つの信号強度が等しいと見なす範囲を設定する数値である。ｈを０，１，…，Ｈ−１と増加させながら（Ｓ４６，Ｓ４７）上記の操作を行い、最終的に使用チャネルＣ（ｕ（０))をＣ（ｈ')と決定する（Ｓ４２，Ｓ４９）。
【００５５】
チャネルＣ（ｕ（０))が決まると、アプリケーションＰＣはアクセスポイントＡＰに対してチャネル設定要求Ｓ（Ｐri（０），ｕ（０))を送信する。要求を受信したアクセスポイントＡＰ（Ｐri（０))はＭＡＣ（ＷＬＡＮ）のチャネルをＣ（ｕ（０))に設定するように指示を出す。また、ビーコンの送信とアクセスポイント機能の有効化を指示する。
【００５６】
優先順位が低いアクセスポイントＡＰ（Ｐri（ｋ))ｋ＝１，２，…，Ｍ−１についても図１５のように同様の操作を行い、全てのアクセスポイントＡＰ（Ｐri（ｋ))の使用チャネルＣ（ｕ（ｋ))を決定する。
【００５７】
（アクセスポイント追加時のチャネル選択）
Ｍ’個のアクセスポイントＡＰ（Ｍ），ＡＰ（Ｍ＋１），…，ＡＰ（Ｍ＋Ｍ’−１）を追加する例を示す。アプリケーションＰＣは最初にＩＰアドレス通知要求ＱA を送信する。この要求を受信したアクセスポイントＡＰ（０），…，ＡＰ（Ｍ−１），ＡＰ（Ｍ），ＡＰ（Ｍ＋１）…，ＡＰ（Ｍ＋Ｍ’−１）は、ＩＰアドレス通知応答Ａ（０），Ａ（１），…，Ａ（Ｍ−１），Ａ（Ｍ），Ａ（Ｍ＋１）…，Ａ（Ｍ＋Ｍ’−１）により、そのアクセスポイントＡＰのＩＰアドレスをアプリケーションＰＣに通知する。
【００５８】
アプリケーションＰＣは以前に通知されたアクセスポイントＡＰを記憶しており、初めて通知されたアクセスポイントＡＰ（Ｍ），ＡＰ（Ｍ＋１）…，ＡＰ（Ｍ＋Ｍ’−１）に対して、既に述べた方法で優先順位を決定し、チャネルを決定する。アプリケーションＰＣはアクセスポイントＡＰ追加時に、ネットワーク上の全てのアクセスポイントＡＰ（０），ＡＰ（１），…，ＡＰ（Ｍ−１），ＡＰ（Ｍ），ＡＰ（Ｍ＋１）…，ＡＰ（Ｍ＋Ｍ’−１）を含めて再度優先順位を決定し、チャネル決定動作を行っても良い。
【００５９】
次に、本発明によるアクセスポイントにおける自動化チャネル割当システムについて説明する。
自動チャネル割当システムの構成例を図１６に示す。システムは管理装置１００内のチャネル割当管理部１０、有線通信部４０とアクセスポイント２００内のＭＡＣ管理部２０、有線通信部６０、無線通信部７０から構成される。チャネル割当管理部１０はＭＡＣ管理部２０から得られた干渉量情報を元にし、アクセスポイント２００で使用するチャネルの決定を行う。ＭＡＣ管理部２０はチャネル割当管理部１０からの指示に従い、干渉量の測定及び、使用チャネルの変更を行う。チャネル割当管理部１０とＭＡＣ管理部２０との通信には管理システムであるＳＮＭＰ（マネージャ）３０とネットワーク機器であるＳＮＭＰ（エージェント）５０を用いる。無線通信部７０はＭＡＣ管理部２０からの指示に基づき無線通信の制御を行う。
【００６０】
チャネル割当管理部１０の構成例を図１７に示す。チャネル割当管理部１０は、制御部１３、アクセスポイント検索部１４、干渉量取得部１５、優先順位決定部１２、チャネル決定部１１、チャネル通知部１６、送受信部１７から構成される。
【００６１】
ＭＡＣ管理部２０の構成例を図１８に示す。ＭＡＣ管理部２０は、制御部２２、メモリ２１、送受信部２３から構成される。無線通信部７０は、干渉量測定部２６、ビーコン制御部２８、チャネル設定部２７を内蔵している。
【００６２】
表２にメモリ２１の構成例を示す。メモリ２１には取得したビーコンの送信元アクセスポイント２００を識別するための「ＭＡＣアドレス」、「ＭＡＣアドレス毎の受信ビーコン数」、「ＭＡＣアドレス毎に受信ビーコンの信号強度を加算した信号強度の総和」が格納される。
【００６３】
〔初回ＡＰ設置時のチャネル選択〕
〔アクセスポイント検索〕
初回アクセスポイント導入時におけるチャネル決定動作について述べる。管理装置１００はアクセスポイント２００と通信を行うためにアクセスポイント２００のＩＰアドレスを取得する必要がある。そこで、最初に管理装置１００内の制御部１３はアクセスポイント検索部１４に対し、ネットワーク内に存在するアクセスポイント２００のＩＰアドレス取得を指示する。
指示を受けたアクセスポイント検索部１４は送受信部１７を通してＩＰアドレス通知要求メッセージＱA をネットワークにブロードキャストで送出する。ＩＰアドレス通知要求メッセージＱA は図８に示す如く、ネットワーク内のアクセスポイント（２００）ＡＰ（０），…，ＡＰ（ｍ），ＡＰ（Ｍ−１）に到達する。
【００６４】
アクセスポイント（２００）ＡＰ（ｍ）の制御部２２は、送受信部２３を通してＩＰアドレス通知要求メッセージＱA を受信すると、当該アクセスポイント２００のＩＰアドレスを通知するため送受信部２３を通してＩＰアドレス通知応答メッセージＡ（ｍ）を送信する。通知応答メッセージの送信元ＩＰアドレスにはアクセスポイント（２００）ＡＰ（ｍ）のＩＰアドレスが設定されている。
管理装置１００内のチャネル割当管理部１０におけるアクセスポイント検索部１４は、決められた時間内に送受信部１７を通して受信された全てのＩＰアドレス通知応答メッセージＡ（０），…，Ａ（ｍ），Ａ（Ｍ−１）の送信元ＩＰアドレスを取得し、取得したＩＰアドレスを制御部１３に通知する。
【００６５】
〔優先順位付け〕
ネットワーク内のアクセスポイント２００のＩＰアドレスを取得後、管理装置１００内のチャネル割当管理部１０における制御部１３はアクセスポイント（２００）ＡＰ（０），…，ＡＰ（ｍ），ＡＰ（Ｍ−１）のチャネル割当順を決めるため、優先順位付けを行う。アクセスポイント２００の使用可能なチャネルがＨ個ある場合、各チャネルのチャネル信号をＣ（０），…，Ｃ（１），Ｃ（Ｈ−１）で表す。例えばＨを４とし１，６，１１，１４チャネルを使用する場合を表３に示す。
管理装置１００内のチャネル割当管理部１０における制御部１３は、アクセスポイント２００が受ける干渉量を取得するため、干渉量取得部１５に対して収集したＩＰアドレスを通知する。
ＩＰアドレスを通知された干渉量取得部１５は、チャネルＣ（ｈ）での干渉量を取得するため、通知された全てのＩＰアドレス宛に送受信部１７を通して干渉量測定要求メッセージＭ（０，ｈ），…，Ｍ（ｍ，ｈ），Ｍ（Ｍ−１，ｈ）の送信を行う。ｈは０，１，…，Ｈ−１の何れかを選択する。干渉量測定要求メッセージは図９に示す如く、アクセスポイント（２００）ＡＰ（０），…，ＡＰ（ｍ），…ＡＰ（Ｍ−１）に到達する。
【００６６】
アクセスポイント（２００）ＡＰ（ｍ）内のＭＡＣ管理部２０における制御部２２は送受信部２３を通して干渉量測定要求メッセージＭ（ｍ，ｈ）を受信すると、内部メモリ２１に格納されていたアクセスポイント毎のビーコン数と信号強度の総和を０に設定する。アクセスポイント（２００）ＡＰ（ｍ）のメモリ２１内の情報例を表４に示す。ここで、Ｎａ（ｍ）はアクセスポイント（２００）ＡＰ（ｍ）において観測された周辺アクセスポイントの数である。ｍａｃａ（ｍ，ｎ）はアクセスポイント（２００）ＡＰ（ｍ）においてｎ番目に検出されたアクセスポイント２００のＭＡＣアドレスである。ｎｕｍａ（ｍ，ｎ）はアクセスポイント（２００）ＡＰ（ｍ）においてｎ番目に検出されたアクセスポイント２００からのビーコン数である。ｐｓａ（ｍ，ｎ）はアクセスポイント（２００）ＡＰ（ｍ）においてｎ番目に検出されたアクセスポイント２００からのビーコンの信号強度の総和である。
【００６７】
次にアクセスポイント（２００）ＡＰ（ｍ）内のＭＡＣ管理部２０における制御部２２はチャネルをＣ（ｈ）に設定するため、チャネル設定部２７にチャネル変更指示を出す。次に、制御部２２はビーコンの送信を開始するため、ビーコン制御部２８にビーコン送信の指示を出す。最後に制御部２２は干渉量測定部２６に測定開始指示を出す。指示を受けた無線通信部７０はチャネルをＣ（ｈ）に変更し、ビーコンの送信を開始し、干渉量の測定を開始する。
【００６８】
干渉量測定中にアクセスポイント（２００）ＡＰ（ｍ）が周辺アクセスポイント（２００）ＡＰ（ｎ）からのビーコンを受信すると、アクセスポイント（２００）ＡＰ（ｍ）内の無線通信部７０における干渉量測定部２６は制御部２２に測定結果を通知する。制御部２２はメモリ２１内のＭＡＣアドレスｍａｃａ（ｍ，ｎ）に対応したビーコン数ｎｕｍａ（ｍ，ｎ）を１増加し、同時に対応する信号強度の総和ｐｓａ（ｍ，ｎ）に受信したビーコンの信号強度を加算する。
【００６９】
一定時間が経過した後、管理装置１００内のチャネル割当管理部１０における干渉量取得部１５は、干渉量の測定結果を取得するため、通知された全てのＩＰアドレス宛に送受信部１７を通して干渉量通知要求メッセージＲ（０），…，Ｒ（ｍ），…，Ｒ（Ｍ−１）の送信を行う。干渉量通知要求メッセージは図９に示すごとく、アクセスポイント（２００）ＡＰ（０），…，ＡＰ（ｍ），…，ＡＰ（Ｍ−１）に到達する。
【００７０】
干渉量通知要求を受信したアクセスポイント（２００）ＡＰ（０），…，ＡＰ（ｍ），…，ＡＰ（Ｍ−１）内のＭＡＣ管理部２０における制御部２２はビーコン制御部２８にビーコンの送信停止を指示し、干渉量測定部２６に干渉量の測定停止を指示する。指示を受けた無線通信部７０はビーコンの送信と干渉量の測定を停止する。次にアクセスポイント２００ＡＰ（０），…，ＡＰ（ｍ），…，ＡＰ（Ｍ−１）内のＭＡＣ管理部２０における制御部２２は送受信部２３を通して表４に示された干渉量情報を含んだ干渉量通知応答メッセージＰ（０），…，Ｐ（ｍ），…，Ｐ（Ｍ−１）を管理装置１００に送信する。干渉量通知応答メッセージＰ（０），…，Ｐ（ｍ），…，Ｐ（Ｍ−１）は図９に示す如く、管理装置１００に到達する。
【００７１】
管理装置１００内のチャネル割当管理部１０における干渉量取得部１５は送受信部１７を通して干渉量通知応答Ｐ（０），…，Ｐ（ｍ），…，Ｐ（Ｍ−１）を受信すると、干渉量を制御部１３に通知する。制御部１３は優先順位を決定するため干渉量を優先順位決定部１２に通知する。
干渉量の通知を受けた優先順位決定部１２は以下に示すごとくＭ個の平均信号強度和Ｐａ（０），Ｐａ（１），…，Ｐａ（Ｍ−１）を計算し、Ｐａ（０），Ｐａ（１），…，Ｐａ（Ｍ−１）を用いて優先順位付けを行う。アクセスポイント（２００）ＡＰ（ｍ）のビーコンの平均信号強度和Ｐａ（ｍ）は式（１）で計算される。ここで、ｎｕｍａ（ｍ，ｎ）はアクセスポイント（２００）ＡＰ（ｍ）においてｎ番目に検出されたアクセスポイント２００からのビーコン数、ｐｓａ（ｍ，ｎ）はビーコンの信号強度の総和を表す。Ｍ個のアクセスポイント２００の平均信号強度和Ｐａ（０），Ｐａ（１），…，Ｐａ（Ｍ−１）の計算フローを図１０に示す。
優先順位決定部１２はＭ個の平均信号強度和Ｐａ（０），Ｐａ（１），…，Ｐａ（Ｍ−１）を用いてＭ個のアクセスポイント２００の優先順位付けを行う。チャネル割当管理部１０は平均信号強度和の大きなアクセスポイント２００の優先度を高くする。但し、複数のアクセスポイント２００の平均信号強度和が等しい場合には、周辺アクセスポイント２００の数が多いアクセスポイント２００の優先順位を高くする。また、周辺アクセスポイント２００の数も等しい場合にはチャネル割当管理部１０における登録順の早いアクセスポイント２００の優先順位を高くする。優先順位を０，１，…，ｋ，…Ｍ−１で表し、０を最優先とする。ｋ番目の優先順位を持つアクセスポイント２００をＰri（ｋ）で表し、Ｐri（ｋ）を以下のとおり決定する。
【００７２】
計算フローを図１１に示す。優先順位ｋ番目候補をアクセスポイント（２００）ＡＰ（ｍ')とし（Ｓ１１〜Ｓ１３）、アクセスポイント（２００）ＡＰ（ｍ')の平均信号強度和Ｐａ（ｍ')とアクセスポイント（２００）ＡＰ（ｍ）の平均信号強度和Ｐａ（ｍ）を比較し（Ｓ１４）、Ｐａ（ｍ')＋Ｄａ＜Ｐａ（ｍ）かつＸ（ｍ）＝０であれば（ｙｅｓ）、新たにｍ’＝ｍとする（Ｓ１５）。ここでＸ（ｍ）＝０はアクセスポイント（２００）ＡＰ（ｍ）の優先順位がまだ決まっていないことを表す。その他の場合、アクセスポイント（２００）ＡＰ（ｍ')の平均信号強度和Ｐａ（ｍ')とアクセスポイント（２００）ＡＰ（ｍ）の平均信号強度和Ｐａ（ｍ）を比較し（Ｓ１６）、Ｐａ（ｍ')−Ｄａ＜Ｐａ（ｍ）かつＸ（ｍ）＝０ならば（ｙｅｓ）、さらに周辺アクセスポイント数Ｎａ（ｍ')とＮａ（ｍ）を比較し（Ｓ１７）、Ｎａ（ｍ）が大きければ（ｙｅｓ）、新たにｍ’＝ｍとする。ここで、Ｄａは二つの信号強度が等しいと見なす範囲を設定する数値である。ｍを０，１，…，Ｍ−１と増加させながら上記の操作を行い（Ｓ１８），（Ｓ１９）、最終的に優先順位ｋ番目のアクセスポイント（２００）ＡＰ（Ｐri（ｋ）＝ｍ’）として決定する（Ｓ２０）。また、既にアクセスポイント（２００）ＡＰ（ｍ')の優先順位が確定したことを示すためＸ（ｍ')＝１とする（Ｓ２０）。この操作をｋ＝０，１，…，Ｍ−１と変化させながら行い（Ｓ２１），（Ｓ２２）、Ｍ個のアクセスポイント２００の優先順位を決定する。
【００７３】
〔アクセスポイントの使用チャネル決定〕
アクセスポイント２００の優先順位が決まると、優先順位の高いアクセスポイント２００から順番に、使用チャネルの決定を行う。アクセスポイント２００が使用できるチャネルがＨ個ある場合、Ｈ個のチャネルにおいて干渉量の測定を行う。
管理装置内のチャネル割当管理部１０における制御部１３は、最初に優先順位の一番高いアクセスポイント（２００）ＡＰ（Ｐri（０））の干渉量を再度取得するため、干渉量取得部１５にＰri（０）を通知する。
通知を受けた干渉量取得部１５はチャネルＣ（０）における干渉量を取得するため、送受信部１７を通してアクセスポイント（２００）ＡＰ（Ｐri（０））に対して干渉測定要求メッセージＭ（Ｐri（０），０）を送信する。送信された干渉量測定要求メッセージは図１２に示すごとく、アクセスポイントＡＰ（２００）（Ｐri（０））に到達する。
【００７４】
干渉測定要求メッセージＭ（Ｐri（０），０）を受信したアクセスポイント（２００）ＡＰ（Ｐri（０））内のＭＡＣ管理部２０における制御部２２はメモリ２１に格納されていたアクセスポイント（２００）毎のビーコン数と信号強度の総和を０に設定する。チャネル設定部２７にチャネルをＣ（０）に変更する指示を出す。次に、制御部２２は干渉量測定部２６に測定開始指示を出す。指示を受けた無線通信部７０はチャネルをＣ（０）に変更し、干渉量の測定を開始する。ビーコン送信は行わない。
【００７５】
干渉量測定中にアクセスポイント（２００）ＡＰ（Ｐri（０））が周辺アクセスポイント（２００）ＡＰ（ｎ）からのビーコンを受信すると、干渉量測定部２６は制御部２２に干渉量を通知し、制御部２２はメモリ２１内のＭＡＣアドレスｍａｃｃ（ｈ，ｎ）に対応したビーコン数ｎｕｍｃ（ｈ，ｎ）を１増加し、同時に対応する信号強度の総和ｐｓｃ（ｈ，ｎ）に受信したビーコンの信号強度を加算する。ここで、Ｎｃ（ｈ）はチャネルＣ（ｈ）において観測された周辺アクセスポイント２００の数である。ｍａｃｃ（ｈ，ｎ）はＣ（ｈ）においてｎ番目に検出されたアクセスポイント２００のＭＡＣアドレスである。ｎｕｍｃ（ｈ，ｎ）はＣ（ｈ）において干渉量測定中に測定されｎ番目に検出されたアクセスポイント２００からのビーコンの信号強度の総和である。
一定時間が経過した後、管理装置１００内のチャネル割当管理部１０における干渉量取得部１５は、干渉量の測定結果を取得するため、送受信部１７を通して干渉量通知要求メッセージＲ（Ｐri（０））の送信を行う。干渉量通知要求メッセージＲ（Ｐri（０））は図１２に示す如く、アクセスポイント（２００）ＡＰ（Ｐri（０））に到達する。
【００７６】
干渉量通知要求メッセージＲ（Ｐri（０））を受信したアクセスポイント（２００）ＡＰ（Ｐri（０））内のＭＡＣ管理部２０における制御部２２は無線通信部７０内の干渉量測定部２６に測定停止を指示する。指示を受けた無線通信部７０は干渉量の測定を停止する。次に、制御部２２は表５に示された干渉量情報を含んだ干渉量通知応答メッセージＰ（Ｐri（０））を送受信部２３を通して管理装置１００に送信する。干渉量通知応答メッセージＰ（Ｐri（０））は図１２に示すごとく、管理装置１００に到達する。
【００７７】
管理装置１００内のチャネル割当管理部１０における干渉量取得部１５はチャネルＣ（１），Ｃ（２），…，Ｃ（Ｈ−１）においても、同様に干渉量の取得を行う。全てのチャネルにおける干渉量測定を終了すると、干渉量取得部１５は干渉量を制御部１３に通知する。
通知を受けた制御部１３はチャネル決定部１１に干渉量を通知する。通知を受けたチャネル決定部１１は使用チャネルの決定を行う。チャネル決定部１１は式（２）のとおり、チャネルＣ（ｈ）において検出された周辺アクセスポイント２００からのビーコンの平均信号強度Ｐｃ（ｈ）を計算する。本方式ではＨ個のチャネルＣ（０），Ｃ（１），…，Ｃ（ｈ），…，Ｃ（Ｈ−１）における平均信号強度Ｐｃ（０），Ｐｃ（１），…，Ｐｃ（ｈ），…，Ｐｃ（Ｈ−１）を計算し、平均信号強度が一番小さなチャネルを使用チャネルとする。但し、複数のチャネルの平均信号強度が等しい場合には、周辺アクセスポイント２００の数が少いチャネルを選択する。また、周辺アクセスポイント２００の数も等しい場合にはチャネル番号の小さいチャネルを選択する。
【００７８】
計算フローを図１４に示す。候補チャネルをｈ’とし、チャネルｈ’の平均信号強度Ｐｃ（ｈ')とチャネルｈの平均信号強度Ｐｃ（ｈ）を比較し、Ｐｃ（ｈ')−Ｄｃ＞Ｐｃ（ｈ）ならば（Ｓ４２）、新たにｈ’＝ｈとする（Ｓ４５）。その他の場合には、チャネルｈ’の平均信号強度Ｐｃ（ｈ')とチャネルｈの平均信号強度Ｐｃ（ｈ）を比較し（Ｓ４３）、Ｐｃ（ｈ')＋Ｄｃ＞Ｐｃ（ｈ）ならば（ｙｅｓ）、さらに周辺アクセスポイント数Ｎｃ（ｈ')とＮｃ（ｈ）を比較し（Ｓ４４）、Ｎｃ（ｈ）が小さければ（ｙｅｓ）、新たにｈ’＝ｈとする（Ｓ４５）。ここでＤｃは二つの信号強度が等しいと見なす範囲を設定する数値である。ｈを０，１，…，Ｈ−１と増加させながら上記の操作を行い（Ｓ４６），（Ｓ４７）、最終的に使用チャネルＣ（ｕ（０））をＣ（ｈ')と決定する。チャネルＣ（ｕ（０））が決まると、チャネル決定部１１は制御部１３にチャネルを通知する。
【００７９】
通知を受けた制御部１３は使用チャネルをチャネル通知部１６に通知する。通知を受けたチャネル通知部１６は、使用チャネルをアクセスポイント（２００）ＡＰ（Ｐri（０））に通知するため、送受信部１７を通してチャネル設定要求メッセージＳ（Ｐri（０），ｕ（０））の送信を行う。チャネル設定要求メッセージＳ（Ｐri（０），ｕ（０））は図１２に示す如く、アクセスポイント（２００）ＡＰ（Ｐri（０））に到達する。
【００８０】
要求を受信したアクセスポイント（２００）ＡＰ（Ｐri（０））内のＭＡＣ管理部２０における制御部２２は無線通信部７０内のチャネル設定部２７にＣ（ｕ（０））を使用するように指示を出す。また、ビーコンの送信とアクセスポイント機能の有効化を指示する。指示を受けた無線通信部７０はチャネルの変更、ビーコンの送信を行い、アクセスポイント２００としての動作を開始する。優先順位が低いアクセスポイント（２００）ＡＰ（Ｐri（ｋ））  ｋ＝１，２，…，Ｍ−１についても同様の操作を行い、全てのアクセスポイント（２００）ＡＰ（Ｐri（ｋ））の使用チャネルＣ（ｕ（ｋ））を決定する。
【００８１】
〔アクセスポイント追加時のチャネル選択〕
Ｍ’個のアクセスポイント（２００）ＡＰ（Ｍ），ＡＰ（Ｍ＋１）…，ＡＰ（Ｍ＋Ｍ’−１）を追加する例を示す。チャネル割当管理部１０は最初にＩＰアドレス通知要求ＱA を送信する。この要求を受信したアクセスポイント（２００）ＡＰ（０），…，ＡＰ（Ｍ−１），ＡＰ（Ｍ），ＡＰ（Ｍ＋１）…，ＡＰ（Ｍ＋Ｍ’−１）はＩＰアドレス通知応答Ａ（０），Ａ（１），…，Ａ（Ｍ−１），Ａ（Ｍ），Ａ（Ｍ＋１）…，Ａ（Ｍ＋Ｍ’−１）により自アクセスポイント２００のＩＰアドレスをチャネル割当管理部１０に通知する。
チャネル割当管理部１０は以前に通知されたアクセスポイント２００を記憶しており、初めて通知されたＡＰ（Ｍ），ＡＰ（Ｍ＋１）…，ＡＰ（Ｍ＋Ｍ’−１）に対して、既に述べた方法で優先順位を決定し、チャネルを決定する。チャネル割当管理部１０はアクセスポイント２００追加時に、ネットワーク上の全てのアクセスポイント（２００）ＡＰ（０），ＡＰ（１），…，ＡＰ（Ｍ−１）…，ＡＰ（Ｍ），ＡＰ（Ｍ＋１）…，ＡＰ（Ｍ＋Ｍ’−１）を含めて再度優先順位決定、チャネル決定動作を行ってもよい。
【産業上の利用可能性】
【００８２】
本発明は、無線ＬＡＮネットワークを構成する場合に必須である使用チャネルの決定を自動化して効率的に実行することを可能とするものである。
【図面の簡単な説明】
【００８３】
【図１】５つのアクセスポイントが存在する場合における一般的なチャネル決定例を説明するための配置図である。
【図２】５つのアクセスポイントが存在する場合における他のチャネル決定例を説明するための配置図である。
【図３】本発明におけるアクセスポイントの検索例を説明するためのブロック図である。
【図４】本発明におけるアクセスポイントの優先順位付けの例を説明するためのブロック図である。
【図５】本発明におけるアクセスポイントの使用チャネル決定例を説明するためのブロック図である。
【図６】本発明におけるアクセスポイントの他の使用チャネル決定例を説明するためのブロック図である。
【図７】本発明を実施する装置構成例を示すブロック図である。
【図８】本発明を実施する際のアクセスポイントのＩＰアドレスの取得例を説明するためのフロー図である。
【図９】本発明によりアクセスポイント設置時の初回チャネル選択をする場合を説明するためのフロー図である。
【図１０】本発明により周辺アクセスポイントの平均信号強度の和を求める場合の動作例を説明するためのフロー図である。
【図１１】本発明によりアクセスポイントの優先順位付けを行う場合の動作例を説明するためのフロー図である。
【図１２】本発明により優先順位が最も高いアクセスポイントのチャネル決定の動作を説明するためのフロー図である。
【図１３】本発明により平均信号強度の計算をする動作例を説明するためのフロー図である。
【図１４】本発明によりアクセスポイントが使用するチャネルの決定をする動作を説明するためのフロー図である。
【図１５】本発明により優先順位がＫ＋１番目のアクセスポイントのチャネル決定の動作を説明するためのフロー図である。
【図１６】本発明によるアクセスポイントにおける自動化チャネル割当システムの構成例を示すブロック図である。
【図１７】図１６のシステムに用いられるチャネル割当管理部の構成例を示すブロック図である。
【図１８】図１６のシステムに用いられるＭＡＣ管理部の構成例を示すブロック図である。
【符号の説明】
【００８４】
１，２，３，４  使用チャネル
Ａ，Ｂ，Ｃ，Ｄ，Ｅ  アクセスポイント
ＡＰ  アクセスポイント
ＰＣ  アプリケーション（パソコン）
１０  チャネル割当管理部
１１  チャネル決定部
１２  優先順位決定部
１３  制御部
１４  アクセスポイント検索部
１５  干渉量取得部
１６  チャネル通知部
１７  送受信部
２０  ＭＡＣ管理部
２１  メモリ
２２  制御部
２３  送受信部
２６  干渉量測定部
２７  チャネル設定部
２８  ビーコン制御部
３０  ＳＮＭＰ（マネージャ）                                                    ４０  有線通信部
５０  ＳＮＭＰ（エージェント）
６０  有線通信部
７０  無線通信部
１００  管理装置
２００  アクセスポイント
【図１】
2006054849.tif 000014
【図２】
2006054849.tif 000015
【図３】
2006054849.tif 000016
【図４】
2006054849.tif 000017
【図５】
2006054849.tif 000018
【図６】
2006054849.tif 000019
【図７】
2006054849.tif 000020
【図８】
2006054849.tif 000021
【図９】
2006054849.tif 000022
【図１０】
2006054849.tif 000023
【図１１】
2006054849.tif 000024
【図１２】
2006054849.tif 000025
【図１３】
2006054849.tif 000026
【図１４】
2006054849.tif 000027
【図１５】
2006054849.tif 000028
【図１６】
2006054849.tif 000029
【図１７】
2006054849.tif 000030
【図１８】
2006054849.tif 000031